(57)【要約】本発明は、検出素子の電極端子部と金属端子部材との電気的な接続状態が良好となるセンサ、およびセンサの製造方法を提供する。センサは、検出素子に接触する素子当接部のフレーム本体部に対する支持状態が１点支持状態または２点支持状態に変形する構成のリードフレーム（金属端子部材）を備える。リードフレームと検出素子との組み付け作業の前半段階では、素子当接部がフレーム本体部に対して１点支持状態となり、リードフレームは比較的小さい弾性力を発生するため、過度な圧力が検出素子に加わるのを防止できる。組み付け作業の完了後は、素子当接部がフレーム本体部に対して２点支持状態となり、リードフレームは１点支持状態に比べて大きな弾性力を発生するため、リードフレームと検出素子との電気的な接続状態が良好なものとなる。
2005029058.tif 000002
【特許請求の範囲】
【請求項１】
軸線方向に延びる板状形状をなし、先端側が測定対象物に向けられ、後端側に電極端子部が形成される検出素子と、
金属製の板状部材から構成され、前記電極端子部に接触することで電気的に接続されて電流経路を形成する金属端子部材と、
を備えるセンサであって、
前記金属端子部材は、
軸線方向に延びるフレーム本体部と、
前記フレーム本体部の先端から屈曲し方向転換して軸線方向後端側に向かって延びる折り返し部と、を備え、
前記折り返し部は、前記フレーム本体部の先端に連結される連結側端部と、前記連結側端部よりも後端側に形成され、前記フレーム本体部に当接するフレーム当接部と有していること、
を特徴とするセンサ。
【請求項２】
請求項１に記載のセンサであって、
前記金属端子部材は、前記検出素子の前記電極端子部と電気的に接続する前の自由状態では、前記折り返し部のうち前記フレーム当接部は前記フレーム本体部に当接しないように構成される一方、前記電極端子部と電気的に接続して前記折り返し部が前記フレーム本体部に向かって弾性変形した場合には、前記フレーム当接部が前記フレーム本体部に当接するように構成されているセンサ。
【請求項３】
請求項１または請求項２に記載のセンサであって、
前記折り返し部は、前記フレーム本体部の先端から屈曲して方向転換し、前記検出素子の前記電極端子部と前記フレーム本体部との間に配置され、前記電極端子部に接触する素子当接部を構成するセンサ。
【請求項４】
請求項３に記載のセンサであって、
前記折り返し部は、前記検出素子の前記電極端子部に向けて突出し、自身の頂部が前記電極端子部に接触する凸状部を含むセンサ。
【請求項５】
請求項３または請求項４に記載のセンサであって、
前記折り返し部の幅寸法が、０．５［ｍｍ］以上２．０［ｍｍ］以下に形成されているセンサ。
【請求項６】
請求項１乃至４に記載のセンサであって、
複数の前記金属端子部材を有し、
前記複数の金属端子部材は、前記折り返し部の幅寸法が互いに異なるセンサ。
【請求項７】
請求項１〜請求項６のいずれか１項に記載のセンサであって、
前記検出素子の後端側の径方向外側に配置されると共に、絶縁材料からなるセパレータを備えており、
前記金属端子部材は、前記折り返し部が前記フレーム本体部に向けて弾性変形した状態で、前記検出素子と前記セパレータとの間に挟持されているセンサ。
【請求項８】
請求項１〜請求項７のいずれかに記載のセンサであって、
前記折り返し部のうち前記フレーム当接部は、湾曲した形状に形成されているセンサ。
【請求項９】
軸線方向に延びる板状形状をなし、先端側が測定対象物に向けられ、後端側に電極端子部が形成される検出素子と、
前記電極端子部が形成される前記検出素子の後端側の径方向外側に配置されると共に、絶縁材料からなるセパレータと、
金属製の板状部材から構成され、前記電極端子部に接触することで電気的に接続されて電流経路を形成する金属端子部材と、
を備えるセンサの製造方法であって、
前記金属端子部材は、
軸線方向に延びるフレーム本体部と、
前記フレーム本体部の先端から屈曲し方向転換して軸線方向後端側に向かって延び、前記検出素子の前記電極端子部と前記フレーム本体部との間に配置される折り返し部と、を備え、
前記折り返し部は、前記フレーム本体部の先端に連結される連結側端部と、前記連結側端部よりも後端側に形成され、前記フレーム本体部に当接するフレーム当接部と有し、
前記金属端子部材は、前記検出素子の前記電極端子部に電気的に接続する前の状態では、前記折り返し部のうち前記フレーム当接部は前記フレーム本体部に当接しないように構成される一方、前記電極端子部と電気的に接続して前記折り返し部が前記フレーム本体部に向かって弾性変形した場合には、前記フレーム当接部が前記フレーム本体部に当接するように構成されており、
前記セパレータに前記金属端子部材を配置させる第１工程と、
前記検出素子を、前記折り返し部に押し付けて当該折り返し部を前記フレーム本体部に向かって弾性変形させると共に、前記折り返し部の前記フレーム当接部を前記フレーム本体部に当接させる第２工程と、
前記セパレータが前記検出素子の径方向外側に配置されるように、前記検出素子と前記セパレータとの相対位置を移動させる第３工程と、を含むことを特徴とするセンサの製造方法。
【発明の詳細な説明】
【技術分野】
【０００１】  本発明は、軸線方向に延びる板状形状をなし、後端側に電極端子部が形成される検出素子と、この検出素子の電極端子部に接触することで電気的に接続されて電流経路を形成する金属端子部材とを備えるセンサ、およびそのようなセンサの製造方法に関する。
発明の背景【０００２】  従来より、軸線方向に延びる板状形状をなすと共に、測定対象物に向けられる先端側に検出部が形成された検出素子（センサ素子）が組み付けられたセンサが知られている。このようなセンサとしては、λ（ラムダ）センサ、全領域空燃比センサ、酸素センサ、ＮＯｘセンサなどのガスセンサや、温度検出を行う温度センサなどが挙げられる。【０００３】  板型形状の検出素子は、一般に、軸線方向（長手方向）の先端側に検出部を備え、後端側の表裏面に電極端子部を備えて構成されている。このような検出素子を備えるセンサとしては、導電性材料からなるリードフレーム（金属端子部材）を電極端子部に対して電気的に接続することで、検出素子と外部機器との間に流れる電流の電流経路の一部をリードフレームにて形成する構造のものがある。なお、検出素子と外部機器とを電気的に接続する電流経路には、例えば、検出素子による検出結果に応じた検出信号や、検出素子がヒータを備える場合には、ヒータへの電力供給のための電流などが流れる。【０００４】  そして、リードフレームを備えるセンサとしては、弾性変形可能な板バネとしての弾性接触部を有するリードフレームを用いて、検出素子の電極端子部にリードフレームの弾性接触部を接触させた状態で、検出素子をセパレータの挿通孔の内部で把持する構成のセンサが知られている（特許文献１参照）。なお、弾性接触部は、その両端のうち一方がリードフレームの本体部分に連結された状態（１点支持状態）で備えられている。【０００５】  このような構成のセンサにおいては、弾性接触部が大きな弾性力を発生する構成のリードフレームを用いることで、リードフレームと検出素子の電極端子部との接続状態を良好にすることができる。なお、弾性接触部が大きな弾性力を発生するリードフレームとしては、例えば、幅寸法が広く形成されたリードフレームや厚さが厚く形成されたリードフレームなどが挙げられる。
【特許文献１】特開２００１−１８８０６０号公報
【０００６】  しかし、従来のセンサのように、大きな弾性力を発生する弾性接触部を有するリードフレームを用いる場合には、検出素子との組み付け作業時において、作業の初期段階から検出素子に対してリードフレームから大きな圧力が加わるため、その圧力によって検出素子に欠けや割れ等の破損が生じる虞がある。【０００７】  また、幅寸法の広いリードフレームは、配置スペースを広く確保する必要があるため、小型化が要求される用途のセンサに適さないという問題がある。さらに、幅寸法の広いリードフレームは、幅寸法の狭い電極端子部が複数近接して形成された検出素子に対して使用する場合、複数の電極端子部に跨って接触してしまい電流経路を適切に形成できない虞がある。【０００８】  なお、このような複数の電極端子部を備える検出素子に対しては、幅寸法を狭く形成したリードフレームを用いることで、電流経路を構成することができる。しかし、上記従来のリードフレームのような１点支持状態の弾性支持部を備えるリードフレームは、幅寸法が狭く形成されることに伴い弾性力が不足する傾向に向かうため、弾性力不足により電極端子部に対して十分に接することができず、電極端子部との接続状態が不安定になる虞がある。
発明の概要【０００９】  本発明は、こうした問題に鑑みてなされたものであり、金属端子部材との組み付け作業時における検出素子の破損が生じ難く、金属端子部材の配置スペースが制限される構造であっても検出素子の電極端子部と金属端子部材との電気的な接続状態を良好に維持可能なセンサの提供、およびそのようなセンサの製造方法を提供することを目的とする。【００１０】  本発明の１つの特徴により、軸線方向に延びる板状形状をなし、先端側が測定対象物に向けられ、後端側に電極端子部が形成される検出素子と、金属製の板状部材から構成され、電極端子部に接触することで電気的に接続されて電流経路を形成する金属端子部材とを備えるセンサであって、金属端子部材は、軸線方向に延びるフレーム本体部と、このフレーム本体部の先端から屈曲し方向転換して軸線方向後端側に向かって延びる折り返し部とを備え、折り返し部は、フレーム本体部の先端に連結される連結側端部と、連結側端部よりも後端側に形成され、フレーム本体部に当接するフレーム当接部とを有するセンサが提供される。【００１１】  このセンサは、フレーム本体部と折り返し部とを有する金属端子部材を備えて構成されており、金属端子部材は、少なくとも一部が検出素子の電極端子部に接触することで、検出素子と外部機器との間を繋ぐ電流経路の一部を形成する。【００１２】  そして、本発明のセンサでは、金属端子部材の折り返し部が、フレーム本体部の先端に連結される連結側端部と、この連結側端部よりも後端側に形成され、フレーム本体部に当接するフレーム当接部とを有している。つまり、本発明のセンサでは、金属端子部材が検出素子に対し組み付けられた状態において、金属端子部の折り返し部が、少なくとも連結側端部およびフレーム当接部の２点以上により支持される複数点支持状態となる。【００１３】  このような２点以上で支持される状態の折り返し部は、弾性変形により生じる応力が１点支持状態の場合に比べて大きくなることから、金属端子部材自身をより大きな応力で検出素子の電極端子部に押し付けることができ、金属端子部材と検出素子の電極端子部材との電気的な接続状態を良好なものとすることができる。【００１４】  なお、この金属端子部材は、折り返し部が複数点支持状態となることで応力が増大することから、折り返し部が常に１点支持状態（片持ち状態）となる従来の金属端子部材に比べて、幅寸法や厚みを大きくする必要がなくなり、配置スペースの拡大を抑えることができ、小型化が要求されるセンサへの使用に適している。【００１５】  さらに、上記のセンサにおいて、上記金属端子部材は、検出素子の電極端子部と電気的に接続する前の自由状態では、折り返し部のうちフレーム当接部はフレーム本体部に当接しないように構成される一方、電極端子部と電気的に接続して折り返し部がフレーム本体部に向かって弾性変形した場合には、フレーム当接部がフレーム本体部に当接するように構成されていると良い。【００１６】  本発明のセンサでは、金属端子部は、自身の自由状態において、折り返し部のうちフレーム当接部がフレーム本体部に当接せずに、折り返し部が１ヵ所（フレーム本体部の先端に連結される連結側端部）でフレーム本体部に支持されるよ��構成されている。このため、金属端子部材は、折り返し部のフレーム当接部がフレーム本体部に当接しない状態においては、折り返し部のうちで連結側端部寄りの弾性変形に伴って生じる応力にて、金属端子部材を検出素子の電極端子部に押し付けるように構成されている。そして、折り返し部がフレーム本体部に向かって弾性変形を続け、フレーム当接部がフレーム本体部に当接することにより、上述したように折り返し部が少なくとも連結側端部およびフレーム当接部の２ヵ所でフレーム本体部に支持されるようになる。【００１７】  このように、本発明のセンサに備えられる金属端子部材は、折り返し部のフレーム当接部がフレーム当接部に当接する場合と当接しない場合とで、検出素子に対して金属端子部材を押圧する圧力が変動するように構成されている。より詳細には、金属端子部材は、自身を検出素子の電極端子部に対して押し付ける圧力の大きさが、折り返し部のフレーム当接部がフレーム本体部に当接しない状態（１点支持状態）に比べて、折り返し部のフレーム当接部がフレーム本体部に当接する状態（２点支持状態）の方が大きくなるよう構成されている。【００１８】  これにより、センサの製造工程において、金属端子部材と検出素子とを組み付けるにあたり、組み付け作業の前半では、比較的小さい力で金属端子部材が検出素子の電極端子部に押し付けられることになり、圧力印加によって検出素子が破損に至るのを抑制することができる。また、組み付け作業の完了後においては、折り返し部は、連結側端部およびフレーム当接部でフレーム本体部に支持される２点支持状態となる。このような２点支持状態の折り返し部は、弾性変形により生じる応力が上述したように１点支持状態の場合に比べて大きくなることから、金属端子部材と検出素子の電極端子部材との電気的な接続状態を良好なものとすることができる。【００１９】  さらに、上記のセンサにおいて、上記折り返し部は、フレーム本体部の先端から屈曲して方向転換し、検出素子の電極端子部とフレーム本体部との間に配置され、電極端子部に接触する素子当接部を構成すると良い。【００２０】  本発明のセンサでは、金属端子部材の折り返し部が、検出素子とフレーム本体部との間に配置され、電極端子部に接触する素子当接部を構成している。つまり、フレーム本体部に対し２点支持状態となっている折り返し部が、検出素子の電極端子部に接触することになる。このため、より大きな応力で折り返し部を検出素子の電極端子部に押し付けることができ、金属端子部材と検出素子の電極端子部との電気的な接続状態をより一層良好なものとすることができる。【００２１】  さらに、上記センサにおいて、素子当接部を構成する上記折り返し部は、検出素子の電極端子部に向けて突出し、自身の頂部が電極端子部に接触する凸状部を含むと良い。【００２２】  折り返し部に検出素子の電極端子部に向けて突出する凸状部を形成し、その凸状部の頂部を電極端子部に接触させることで、電極端子部に対する折り返し部の接圧を高めることができる。従って、金属端子部材の折り返し部と検出素子の電極端子部との接触を確実なものにでき、これらの電気的な接続状態の信頼性を向上させることができる。【００２３】  さらに、上記のセンサにおいて、素子当接部を構成する上記折り返し部の幅寸法が、０．５［ｍｍ］以上２．０［ｍｍ］以下に形成されていると良い。【００２４】  このように幅寸法が設定される折り返し部を有する金属端子部材は、電極端子部の幅寸法が小さく、複数の電極端子部が形成された検出素子においても、複数の電極端子部に跨って接続されることなく、各電極端子部に対して個別に接続でき、適切に電流経路を形成することができる。さらに、金属端子部材の強度を良好に維持することができ、センサの耐久性を良好なものとすることができる。また、この金属端子部材は、容積の小さい配置スペースにも配置可能となることから、小型のセンサにおいても電流経路を形成することができ、センサの小型化を図ることができる。【００２５】  なお、幅寸法とは、軸線方向に垂直で、かつ折り返し部とフレーム本体部との隙間間隔方向に垂直となる方向の寸法である。【００２６】  さらに、上記のセンサにおいて、検出素子の後端側の径方向外側に配置されると共に、絶縁材料からなるセパレータを備え、金属端子部材は、折り返し部がフレーム本体部に向けて弾性変形した状態で、検出素子とセパレータとの間に挟持されていると良い。【００２７】  このように金属端子部材を、折り返し部をフレーム本体部に向けて弾性変形させた状態で、検出素子とセパレータとの間に挟持固定させることにより、金属端子部材と検出素子の電極端子部との電気的な接続状態を確実に得ることができる。従って、本発明のセンサによれば、振動が激しい車両等の環境下に取り付けられて使用に供された場合にも、金属端子部材と検出素子の電極端子部との接続状態を長期間に亘って安定して維持することができる。【００２８】  さらに、上記のセンサにおいて、上記折り返し部のうちフレーム当接部は、湾曲した形状に形成されていると良い。【００２９】  本発明のセンサでは、金属端子部材の折り返し部のうちフレーム当接部を湾曲した曲面形状に形成した上で、このフレーム当接部とフレーム本体部とを当接させている。このため、本発明のセンサを振動が激しい車両等の環境下に取り付けて使用した場合にも、フレーム当接部とフレーム本体部との擦れに起因して金属粉が発生する度合いを大幅に低減することができる。従って、本発明のセンサによれば、振動が激しい車両等の環境下に取り付けられて使用に供された場合にも、フレーム当接部とフレーム本体部との擦れに起因して金属粉が飛散し、金属端子部材と検出素子の電極端子部との接続状態に悪影響が生じるのを効果的に抑制することができる。【００３０】  本願発明の他の特徴により、軸線方向に延びる板状形状をなし、先端側が測定対象物に向けられ、後端側に電極端子部が形成される検出素子と、電極端子部が形成される検出素子の後端側の径方向外側に配置されると共に、絶縁材料からなるセパレータと、金属製の板状部材から構成され、前記電極端子部に接触することで電気的に接続されて電流経路を形成する金属端子部材とを備えるセンサの製造方法であって、金属端子部材は、軸線方向に延びるフレーム本体部と、フレーム本体部の先端から屈曲し方向転換して軸線方向後端側に向かって延び、検出素子の電極端子部とフレーム本体部との間に配置���れる折り返し部とを備え、この折り返し部は、フレーム本体部の先端に連結される連結側端部と、連結側端部よりも後端側に形成され、フレーム本体部に当接するフレーム当接部と有し、金属端子部材は、検出素子の電極端子部に電気的に接続する前の状態では、折り返し部のうちフレーム当接部はフレーム本体部に当接しないように構成される一方、電極端子部と電気的に接続して折り返し部がフレーム本体部に向かって弾性変形した場合には、フレーム当接部がフレーム本体部に当接するように構成されており、セパレータに金属端子部材を配置させる第１工程と、検出素子を、折り返し部に押し付けて当該折り返し部をフレーム本体部に向かって弾性変形させると共に、折り返し部のフレーム当接部をフレーム本体部に当接させる第２工程と、セパレータが検出素子の径方向外側に配置されるように、検出素子とセパレータとの相対位置を移動させる第３工程とを含むセンサの製造方法が提供される。【００３１】  本発明のセンサの製造方法によれば、センサの製造工程での検出素子と金属端子部材との組み付け作業時において、検出素子の破損が生じ難くなり、センサの生産効率向上を図ることができる。【００３２】  また、金属端子部材の配置スペースが狭い構造であっても、検出素子の電極端子部と金属端子部材との電気的な接続状態が良好なセンサを効率良く得ることができる。
【図面の簡単な説明】
【００３３】［図１］実施例の全領域空燃比センサの全体構成を示す断面図である。
［図２］検出素子の概略構造を表す斜視囲である。
［図３］リードフレームの外観を表す斜視図である。
［図４］セパレータの外観を表す斜視図である。
［図５］挿通孔にリードフレームが配置された状態のセパレータの斜視図である。
［図６］検出素子をセパレータの挿通孔に挿通する作業時において、挿通孔の内部でリードフレームが変形する状態を表す説明図である。
［図７］検出素子の後端側を主体金具の後端部およびセラミックスリーブの後端部から突出させた状態にある中間組立部品の斜視図である。
［図８］素子当接部のうちで検出素子の電極端子部に接触が予定される部位に凸状部を設けたリードフレームの外観を表す斜視図である。
［図９］素子当接部のうちフレーム当接部を湾曲した形状に形成したリードフレームの外観を表す斜視図である。
詳細な説明【００３４】  以下に、本発明を適用した実施例を図面と共に説明する。
なお、本実施例では、ガスセンサの一種であって、自動車や各種内燃機関における空燃比フィードバック制御に使用するために、測定対象となる排ガス中の特定ガスを検出する検出素子（ガスセンサ素子）が組み付けられるとともに、内燃機関の排気管に装着される全領域空燃比センサ２（以下、空燃比センサ２ともいう）について説明する。【００３５】  図１は、本発明方法を適用した実施例の空燃比センサ２の全体構成を示す断面図である。
空燃比センサ２は、軸線方向（図中上下方向）に延びる板状形状をなす検出素子４と、検出素子４の先端部を突出させた状態で検出素子４を収納する筒状の主体金具１０２と、検出素子４と主体金具４との間に配置される筒状のセラミックスリーブ６と、検出素子４の後端部の周囲を取り囲む状態で配置されるアルミナ製のセパレータ８２とを備えている。【００３６】  検出素子４は、軸線方向に延びる板状形状をなし、測定対象となるガスに向けられる先端側（図中下方）に保護層に覆われた検出部８が形成され、後端側（図中上方）の外表面のうち表裏の位置関係となる第１板面２１および第２板面２３に電極端子部３０、３１、３２、３４、３６が形成されている（図２参照）。５個のリードフレーム（金属端子部材）１０が検出素子４とセパレータ８２との間に配置され、検出素子４の電極端子部３０、３１、３２、３４、３６にそれぞれ電気的に接続されている。また、リードフレーム１０は、その後端側において、外部からセンサの内部に配設されるリード線４６にも電気的に接続されており、リード線４６が接続される外部機器と電極端子部３０、３１、３２、３４、３６との間に流れる電流の電流経路を形成する。【００３７】  主体金具１０２は、その外表面に排気管に固定するためのネジ部１０３を有し、内部に軸線方向に貫通する貫通孔１０９をする略筒状に構成されている。また、主体金具１０２は、検出部８を貫通孔１０９の先端側に突出させ、電極端子部３０、３１、３２、３４、３６を貫通孔１０９の後端側に突出させた状態で検出素子４を貫通孔１０９内に保持するよう構成されている。【００３８】  主体金具１０２の先端側（図１における下方）外周には、検出素子４の突出部分を覆うと共に、複数の孔部を有する金属製（例えば、ステンレスなど）の二重の外部プロテクタ４２および内部プロテクタ４３が、溶接等によって取り付けられている。【００３９】  また、主体金具１０２の後端部１０４より突出した検出素子４の後端側（図１における上方）の周囲には、セパレータ８２が配置され、検出素子４の電極端子部３０、３１、３２、３４、３６を挿通孔８４内に収納している。
そして、主体金具１０２の後端側外周には、外筒４４が固定されている。外筒４４の後端側（図１における上方）の開口部には、グロメット５０が配置され、グロメット５０のリード線挿通孔６１には５本のリード線４６が挿通されている。
セパレータ８２は、外表面から径方向外向きに突出する鍔部８３を備え、鍔部８３が外筒４４の外筒側支持部６４に当接することで、外筒４４の内部に配置される。【００４０】  なお、主体金具１０２の貫通孔１０９の内部には、検出素子４の径方向周囲を取り囲む状態で、環状のセラミックホルダ１０６、粉末充填層１０８（以下、滑石リング１０８ともいう）、補助スリーブ１１０およびセラミックスリーブ６が、この順に先端側から後端側に向けて積層されている。これらの積層体は、主体金具１０２の棚部１０７と後端部１０４との間で、パッキン１２９および加締リング１１２を介して加締め固定されている。【００４１】  ここで、検出素子４の概略構造を表す斜視図を、図２に示す。なお、図２では、軸線方向における中間部分を省略して検出素子４を表している。【００４２】  検出素子４は、軸線方向（図２における左右方向）に延びる板状形状に形成された素子部２０と、同じく軸線方向に延びる板状形状に形成されたヒータ２２とが積層されて、矩形の軸断面を有する板型形状に形成されている。なお、空燃比センサ２として用いられる検出素子４は従来公知のものであるため、その内部構造等の詳細な説明は省略するが、その概略構成は以下のようである。【００４３】  まず、素子部２０は、固体電解質基板の両側に多孔質電極を形成した酸素濃淡電池素子と、同じく固体電解質基板の両側に多孔質電極を形成した酸素ポンプ素子と、これらの両素子の間に積層され、中空の測定ガス室を形成するためのスペーサとから構成される。この固体電解質基板は、イットリアを安定化剤として固溶させたジルコニアから形成され、多孔質電極は、Ｐｔを主体に形成される。また、測定ガス室を形成するスペーサは、アルミナを主体に構成されており、中空の測定ガス室の内側には、酸素濃淡電池素子の一方の多孔質電極と、酸素ポンプ素子の一方の多孔質電極が露出するように配置されている。なお、測定ガス室は、素子部２０の先端側に位置するように形成されており、この測定ガス室が形成される部分が検出部８に相当する。
ついで、ヒータ２２は、アルミナを主体とする絶縁基板の間に、Ｐｔを主体とする発熱抵抗体パターンが挟み込まれて形成されている。【００４４】  そして、素子部２０とヒータ２２とは、セラミック層（例えば、ジルコニア系セラミックやアルミナ系セラミック）を介して互いに接合される。また、検出素子４のうち少なくとも測定対象物（本実施形態では、排ガス）に晒される電極の表面上には、被毒防止用の多孔質状のセラミック（例えば、アルミナ系セラミックなど）からなる保護層（図示省略）が形成される。なお、本実施形態では、検出素子４のうち排ガスに晒される電極の表面を含む先端側全面を保護層にて覆っている。【００４５】  このような検出素子４では、図２に示すように、第１板面２１の後端側（図２における右側）に３個の電極端子部３０、３１、３２が形成され、第２板面２３の後端側に２個の電極端子部３４、３６が形成されている。電極端子部３０、３１、３２は、素子部２０に形成されるものであり、１つの電極端子部は、測定ガス室の内側に露出する酸素濃淡電池素子の一方の多孔質電極と酸素ポンプ素子の一方の多孔質電極と共用する形で電気的に接続される。また、電極端子部３０、３１、３２のうち残りの２つの電極端子部は、酸素濃淡電池素子の他方の多孔質電極と酸素ポンプ素子の他方の多孔質電極と各々電気的に接続されている。また、電極端子部３４、３６は、ヒータ２２に形成されるものであり、ヒータ２２の厚さ方向に横切るビア（図示せず）を介して発熱抵抗体パターンの両端に各々接続されている。【００４６】  次に、リードフレーム１０について説明する。リードフレーム１０の外観を表す斜視図を図３に示す。なお、本実施例の空燃比センサ２は、フレーム係止部の形状が異なる２種類のリードフレーム１０（図３にて左側に示す第１リードフレーム１１と、右側に示す第２リードフレーム２１１）を備えて構成されている。また、リードフレーム１０は、高温に繰り返し晒されても、弾性（バネ弾性）を維持可能な周知の材料（例えば、インコネルやステンレス鋼等）にて形成されている。【００４７】  まず、第１リードフレーム１１は、軸線方向に延びる長尺状の板状部材からなるフレーム本体部１２と、フレーム本体部１２の先端から折り返されてフレーム本体部１２と検出素子４との間に配置されるように延び、自身の一部が検出素子４の電極部に当接することになる素子当接部１６と、リード線４６と電気的に接続されるリード線接続部１７とを備えている。【００４８】  フレーム本体部１２は、軸線方向における略中間位置に湾曲部１３を有しており、湾曲部１３よりも先端に位置する先端側部分と、湾曲部１３よりも後端に位置する後端側部分とが、板面の厚さ方向における位置が異なる位置となるように構成されている。この湾曲部１３のうち、フレーム当接部１５との対向面は、先端側に向く斜面を構成しており、フレーム当接部１５と当接したときにフレーム当接部が軸方向後端側または径方向外側に移動するのを規制する機能を有している。また、フレーム本体部１２は、軸線方向中間位置よりも先端側部分における板面の幅寸法Ｗ１が１．１［ｍｍ］、板厚が０．２［ｍｍ］に形成されている。【００４９】  なお、第１リードフレーム１１は、フレーム本体部１２の先端側に、セパレータ８２と係合する第１フレーム係止部１９を備えている。第１フレーム係止部１９は、フレーム本体部１２の先端側面から板面に対する垂直方向に向けて延設されると共に、フレーム本体部１２の板面に平行となる部分を有するよう折り曲げられて構成されている。【００５０】  素子当接部（折り返し部）１６は、フレーム本体部１２の先端から径方向内側に屈曲し方向転換して軸線方向後端側に向かって延びる形態をなしている。そして、この素子当接部１６は、フレーム本体部１２の先端に連結される連結側端部１４と、この連結側端部１４よりも後端側に形成されるフレーム当接部であって、第１リードフレーム１１自身の自由状態において、フレーム本体部１２から離れた状態となるフレーム当接部１５とを有している。【００５１】  ここで、素子当接部１６は、板面の幅寸法Ｗ１が１．１［ｍｍ］、板厚が０．２［ｍｍ］に形成されている。また、素子当接部１６は、軸線方向中間部からフレーム本体部１２までの間隙寸法が、フレーム当接部１５からフレーム本体部１２までの間隙寸法に比べて長くなるように湾曲した円弧状形状に形成されており、円弧状形状のうち凸側曲面が検出素子４に当接するように形成されている。【００５２】  なお、素子当接部１６は、外力が印加される（詳細には、素子当接部１６からフレーム本体部１２に向かう外力が加わる）ことで、フレーム当接部１５がフレーム本体部１２に向けて弾性変形し、最終的にフレーム当接部１５がフレーム本体部１２の湾曲部１３に当接するよう構成されている。【００５３】  また、第１リードフレーム１１は、外力が印加されず連結側端部１４（素子当接部１６自身）が弾性変形しない場合には、素子当接部１６のフレーム当接部１５とフレーム本体部１２との間隙寸法（軸線方向に対して直交する向きの寸法）が、セパレータ８２の第１フレーム配置溝８６および第２フレーム配置溝８８の深さ寸法よりも小さくなるよう構成されている。【００５４】  なお、第１リードフレーム１１は、素子当接部１６がフレーム本体部１２に向けて弾性変形した状態で検出素子４とセパレータ８２との間に扶持された場合には、素子当接部１６のフレーム当接部１５がフレーム本体部１２の湾曲部１３に当接すると共に、素子当接部１６のうち少なくとも一部が第１フレーム配置溝８６および第２フレーム配置溝８８から突出して検出素子４の電極端子部に当接されるよう構成されている。【００５５】  次に、第２リードフレーム２１１について説明する。
第２フレーム本体部２１２は、湾曲部２１３付近よりも先端側部分における板面の幅寸法Ｗ２が０．８［ｍｍ］、板厚０．２［ｍｍ］に形成されており、第１リードフレーム１１のフレーム本体部１２と比べて横面の幅寸法は異なるが、軸線方向に平行かつ板面に垂直な平面における断面形状は、フレーム本体部１２と略同様の形状に形成されている。【００５６】  第２素子当接部２１６は、板面の幅寸法Ｗ２が０．８［ｍｍ］、板厚０．２［ｍｍ］に形成されており、第１リードフレーム１１の素子当接部１６と比べて板面の幅寸法および板厚は異なるが、軸線方向に平行かつ板面に垂直な平面における断面形状は、素子当接部１６と略同様の円弧状に形成されており、連結側端部１４に対応する第２連結側端部２１４と、フレーム当接部１５に対応する第２フレーム当接部２１５とを有している。【００５７】  また、第２リードフレーム２１１は、第２フレーム本体部２１２の先端側に、セパレータ８２の第２係止用溝部９１に配置可能に形成された２個の第２フレーム係止部２１９を備えている。第２フレーム係止部２１９は、第２フレーム本体部２１２から板面に対する垂直方向に向けて延設されると共に、第２フレーム本体部２１２の板面に平行となる部分を有するよう外向きに折り曲げられて構成されている。【００５８】  さらに、第２リードフレーム２１１は、第２フレーム本体部２１２の後端部に、第１リードフレーム１１のリード線接続部１７と略同様の形状に形成された第２リード線接続部２１７を備えている。【００５９】  このように構成されたリードフレーム１０のうち、４本の第１リードフレーム１１および１本の第２リードフレーム２１１が、互いに絶縁された状態で、セパレータ８２の挿通孔８４に配置される。
このとき、４本の第１リードフレーム１１は、検出素子４の電極端子部３０、３２に対応する２つの第１フレーム配置溝８６、および電極端子部３４、３６に対応する２つの第２フレーム配置溝８８に配置され、第２リードフレーム２１１は、検出素子４の電極端子部３１に対応する第１フレーム配置溝８６に配置される。【００６０】  次に、セパレータ８２について説明する。
図４に、先端側から見たときのセパレータ８２の外観を表す斜視図を示す。図４に示すように、挿通孔８４のうち検出素子４の第１板面２１（図示省略）に対向する内壁面には、３個のリードフレーム１０をそれぞれ電気的に絶縁した状態で個別に配置するための３つの第１フレーム配置溝８６と、第１フレーム配置溝８６の境界を構成する第１リブ部８７とが設けられている。なお、３つの第１フレーム配置溝８６は、それぞれ検出素子４の第１板面２１における電極端子部３０、３１、３２に対応する位置に形成されている。【００６１】  また、挿通孔８４のうち検出素子４の第２板面２３（図示省略）に対向する内壁面には、２個のリードフレーム１０をそれぞれ電気的に絶縁した状態で個別に配置するための２つの第２フレーム配置溝８８と、第２フレーム配置溝８８の境界を構成する第２リブ部８９とが設けられている。なお、２つの第２フレーム配置溝８８は、それぞれ検出素子４の第２板面２３における電極端子部３４、３６に対応する位置に形成されている。【００６２】  第１リブ部８７および第２リブ部８９は、隣接するフレーム配置溝に配置されるリードフレーム１０同士が接触するのを阻止し、電流経路が不良となるのを防止する機能を有している。【００６３】  また、セパレータ８２は、先端面（図における手前側の面）に、挿通孔８４の先端側開口部に繋がる形態で形成される第１係止用溝部９０および第２係止用溝部９１を備えている。【００６４】  第１係止用溝部９０は、セパレータ８２の先端側から見たときに略Ｌ字形に形成されており、リードフレーム１０の第１フレーム係止部１９を配置可能に形成されている。なお、第１係止用溝部９０は、３個の第１フレーム配置溝８６のうち外側に形成される第１フレーム配置溝８６と、第２フレーム配置溝８８とにそれぞれ繋がって形成されている。【００６５】  第２係止用溝部９１は、２個の凸条部９２の間に形成される狭小幅溝部９３と、セパレータ８２の先端面のうち狭小幅溝部９３よりも径方向外側に形成される拡大幅溝部９４とからなり、リードフレーム１０の第２フレーム係止部２１９を配置可能に形成されている。なお、凸条部９２は、第１リブ部８７の先端部分から連続する形状に形成されている。また、第２係止用溝部９１は、３個の第１フレーム配置溝８６のうち中央に形成される１個の第１フレーム配置溝８６に繋がる１カ所に形成されている。【００６６】リードフレーム１０は、リード線接続部１７（第２リード線接続部２１７）にリード線４６が接続された後に、リード線４６と共にセパレータ８２の挿通孔８４に配置される。【００６７】挿通孔８４にリードフレーム１０が配置された状態のセパレータ８２の斜視図を図５に示す。図５に示すように、第１リードフレーム１１の第１フレーム係止部１９は、セパレータ８２の第１係止用溝部９０に配置され、また、第２リードフレーム２１１の第２フレーム係止部２１９は、セパレータ８２の第２係止用溝部９１に配置される。【００６８】  このようにリードフレーム１０が配置された状態のセパレータ８２の挿通孔８４に対して、検出素子４を挿通することにより、リードフレーム１０の素子当接部１６（第２素子当接部２１６）と検出素子４の電極端子部３０、３１、３２、３４、３６のいずれかを当接させて電気的に接続させることができる。【００６９】  次に、検出素子４を、リードフレーム１０が配置された状態の挿通孔８４に挿通して、検出素子４、リードフレーム１０およびセパレータ８２を一体に組み付ける作業について説明する。【００７０】  検出素子４をセパレータ８２の挿通孔８４に挿通する作業時において、挿通孔８４の内部でリードフレーム１０が弾性変形する状態を表す説明図を図６に示す。なお、図６では、１個のリードフレーム１０および検出素子４を図示しており、セパレータ８２については図示を省略している。【００７１】  まず、組み付け作業の開始直後の第１ステップでは、検出素子４をセパレータ８２の先端側に配置した後、挿通孔８４の先端側開口部より検出素子４を挿通すると共に、検出素子４をリードフレーム１０の素子当接部１６に当接させる。そして、検出素子４をリードフレーム１０の素子当接部１６に押し付けて外力を加えることで、連結側端部１４を弾性変形させる（換言すれば、素子当接部１６をフレーム本体部１２に向けて弾性変形させる）と共に、素子当接部１６のフレーム当接部１５をフレーム本体部１２の湾曲部１３に近接させる作業を行う。【００７２】  次の第２ステップでは、素子当接部１６に対して検出素子４を更に押し付けて素子当接部１６をフレーム本体部１２に向けて弾性変形させると共に、素子当接部１６のフレーム当接部１５をフレーム本体部１２（フレーム本体部１２の湾曲部１３）に当接させる作業を行う。これにより、素子当接部１６は、連結側端部１４およびフレーム当接部１５の２カ所でフレーム本体部１２に支持される状態、つまり２点支持状態となる。【００７３】  続く第３ステップでは、挿通孔８４の内部後端側に検出素子４を更に挿入することで、セパレータ８２の挿通孔８４の内壁面が検出素子４の電極端子部３０、３１、３２、３４、３６に対向するように、検出素子４とセパレータ８２との相対位置を移動させる作業を行う。これにより、リードフレーム１０のうちフレーム本体部１２の先端側部分および素子当接部１６が、検出素子４と挿通孔８４の内壁面との間に挟み込まれる状態となる（図１参照）。このとき、素子当接部１６は、検出素子４の板面に沿うように軸線方向中間部が弾性変形しており、検出素子４の電極端子部に対して広い面積で当接する状態となる。【００７４】  このようにして組み付け作業を行うことで、検出素子４、リードフレーム１０およびセパレータ８２を一体に組み付けることができる。ここでは、組み付け作業時における第１リードフレーム１１の弾性変形状態について説明したが、第２リードフレーム２１１についても、第１リードフレーム１１と同様の変形状態を示す。【００７５】  なお、検出素子４、リードフレーム１０およびセパレータ８２を一体に組み付け作業は、空燃比センサ２の製造工程の途中段階で実行される。そして、空燃比センサ２の製造工程では、この組み付け作業の前段階で、検出素子４、セラミックスリーブ６、滑石リング１０８、セラミックホルダ１０６および主体金具１０２などからなる中間組立部品１０５の組み立て作業を実行している。図７に、検出素子４の後端側を主体金具１０２の���端部１０４およびセラミックスリーブ６の後端部から突出させた状態にある中間組立部品１０５を斜視図にて示す。【００７６】  空燃比センサ２の製造工程では、中間組立部品１０５を構成する状態の検出素子４に対して、上述のような組み付け作業を行うことで、リードフレーム１０およびセパレータ８２を検出素子４に組み付けることができる。【００７７】  リードフレーム１０、セパレータ８２および検出素子４を一体に組み付けた後、外筒４４を主体金具１０２に対してレーザー溶接などにより接合すると共に、グロメット５０を加締め加工により外筒４４に固定する作業などを実行することで、空燃比センサ２が完成すると共に、空燃比センサ２の製造工程が完了する。【００７８】  なお、本実施例においては、リードフレーム１０が特許請求の範囲に記載の金属端子部材に相当し、素子当接部１６および第２素子当接部２１６が折り返し部に相当している。また、センサの製造工程のうち、リードフレーム１０をセパレータ８２の挿通孔８４の内部に配置する作業工程が、特許請求の範囲に記載の第１工程に相当し、リードフレーム１０およびセパレータ８２を一体に組み付ける作業における第１ステップおよび第２ステップが、特許請求の範囲に記載の第２工程に相当し、組み付け作業における第３ステップが特許請求の範囲に記載の第３工程に相当する。【００７９】  以上、説明したように、本実施例の空燃比センサ２は、検出素子４の電極端子部に接触する素子当接部１６（第２素子当接部２１６）の支持状態が１点支持状態から２点支持状態に変形する構成のリードフレーム１０（第１リードフレーム１１、第２リードフレーム２１１）を用いて構成されている。【００８０】  そして、リードフレーム１０は、素子当接部１６（第２素子当接部２１６）のフレーム当接部１５（第２フレーム当接部２１５）がフレーム本体部１２（第２フレーム本体部２１２）に当接せずに離れている１点支持状態では、連結側端部１４（第２連結側端部２１４）側の弾性変形により生じる比較的小さい応力によって、素子当接部１６（第２素子当接部２１６）を検出素子４の電極端子部に対して押し付けるように構成されている。また、リードフレーム１０は、素子当接部１６（第２素子当接部２１６）がフレーム本体部１２（第２フレーム本体部２１２）に向かって弾性変形して、フレーム当接部１５（第２フレーム当接部２１５）がフレーム本体部１２（第２フレーム本体部２１２）に当接する場合には、素子当接部１６（第２素子当接部２１６）のうち軸線方向中間部が弾性変形することにより、大きな応力を発生することになる。【００８１】  つまり、リードフレーム１０は、素子当接部１６（第２素子当接部２１６）のフレーム当接部１５（第２フレーム当接部２１５）がフレーム本体部１２（第２フレーム本体部２１２）に当接しない１点支持状態よりも、素子当接部１６（第２素子当接部２１６）のフレーム当接部１５（第２フレーム当接部２１５）がフレーム本体部１２（第２フレーム本体部２１２）に当接する２点支持状態の方が、素子当接部１６（第２素子当接部２１６）を検出素子４の電極端子部に対して押し付ける圧力（換言すれば、接圧）が大きくなるように構成されている。【００８２���  これにより、空燃比センサ２の製造工程において、リードフレーム１０と検出素子４とを組み付けるにあたり、組み付け作業の前半段階では、比較的小さい力でリードフレーム１０の素子当接部１６（第２素子当接部２１６）が検出素子４の電極端子部３０、３１、３２、３４、３６に押し付けられることになる。この結果、リードフレーム１０と検出素子４との組み付け作業時に、リードフレーム１０の弾性変形に伴って検出素子４に対して過度な圧力が加わるのを防止でき、検出素子４が破損に至るのを抑制することができる。【００８３】  また、組み付け作業の完了後においては、素子当接部１６（第２素子当接部２１６）は、連結側端部１４（第２連結側端部２１４）およびフレーム当接部１５（第２フレーム当接部２１５）によりフレーム本体部１２（第２フレーム本体部２１２）に支持される２点支持状態となる。この２点支持状態の素子当接部１６（第２素子当接部２１６）の弾性変形により生じる大きい応力（弾性力）で、リードフレーム１０の素子当接部１６（第２素子当接部２１６）が検出素子４の電極端子部に押し付けられることで、リードフレーム１０と検出素子４の電極端子部との電気的な接続状態を良好に得ることができる。【００８４】  このため、検出素子４の電極端子部との接続状態を良好にするべく弾性力を大きく確保するために、リードフレーム１０の幅寸法や厚みを大きくする必要が無くなる。つまり、本実施例のリードフレーム１０は、従来のセンサのような常に１点支持状態の弾性接触部を有するリードフレームと比較した場合には、同等の弾性力を発生させるために必要となる幅寸法や厚みが小さくなるという特徴がある。【００８５】  よって、リードフレーム１０は、素子当接部１６（第２素子当接部２１６）が１点支持状態から２点支持状態に変形することで応力が増大することから、同等の弾性力を発生させる場合には、従来のリードフレーム（金属端子部材）に比べて幅寸法や厚みを縮小できる。このため、本実施例のリードフレーム１０を用いることで、配置スペースの拡大を抑えることができ、小型化が要求されるセンサにおいても好適に使用することができる。【００８６】  また、空燃比センサ２は、第１フレーム配置溝８６および第２フレーム配置溝８８が形成されたセパレータ８２を用いて構成されることから、セパレータ８２に対するリードフレーム１０の配置位置（相対位置）の設定作業が容易となり、組み付け作業の煩雑さを軽減することができる。また、第１フレーム配置溝８６および第２フレーム配置溝８８にリードフレーム１０を配置することで、空燃比セン２の実使用環境下において、リードフレーム１０の配置位置が変化するのを防止することができる。例えば、外部からの衝撃により外筒４４などが変形して、その変形の影響がリードフレーム１０に及ぶ場合においても、隣接するリードフレーム１０同士が接触するのを避けることができ、電流経路を適切な状態に維持することができる。【００８７】  さらに、リードフレーム１０は、素子当接部１６（第２素子当接部２１６）のフレーム当接部１５（第２フレーム当接部２１５）がフレーム本体部１２（第２フレーム本体部２１２）に当接する場合においても、素子当接部１６およ���第２素子当接部２１６の一部が、挿通孔８４の内部のうち第１フレーム配置溝８６および第２フレーム配置溝８８の外部に配置されるよう構成されている。このため、素子当接部１６および第２素子当接部２１６の全体が、第１フレーム配置溝８６および第２フレーム配置溝８８の内部に完全に収容されることはなく、リードフレーム１０が検出素子４の電極端子部に接続できなくなるのを防止できる。【００８８】  また、リードフレーム１０は、自由状態において、素子当接部１６（第２素子当接部２１６）のフレーム当接部１５（第２フレーム当接部２１５）とフレーム本体部１２（第２フレーム本体部２１２）との間隙寸法が、第１フレーム配置溝８６および第２フレーム配置溝８８の探さ寸法よりも小さい状態となるよう構成されている。このため、リードフレーム１０は、フレーム本体部１２（第２フレーム本体部２１２）が第１フレーム配置溝８６の底部および第２フレーム配置溝８８の底部に当接する場合には、フレーム本体部１２および第２フレーム本体部２１２がフレーム配置溝８６および第２フレーム配置溝８８の内部に収容される。【００８９】  このことから、リードフレーム１０をセパレータ８２に配置した後、検出素子４と組み付けるにあたり、フレーム当接部１５（第２フレーム当接部２１５）が、第１フレーム配置溝８６の開口部周囲部分（第１リブ部８７）または第２フレーム配置溝８８の開口部周囲部分（第２リブ部８９）に係止されるのを防止でき、フレーム当接部１５（第２フレーム当節部２１５）を確実にフレーム本体部１２（第２フレーム本体部２１２）に当接させることができる。【００９０】  これにより、素子当接部１６（第２素子当接部２１６）のフレーム当接部１５（第２フレーム当接部２１５）が第１リブ部８７または第２リブ部８９に係止された状態であるために、検出素子４との組み付け作業時に、リードフレーム１０が不適切な形状に変形するのを防止できる。【００９１】  また、リードフレーム１０は、第１フレーム係止部１９および第２フレーム係止部２１９を備えており、セパレータ８２の挿通孔８４に配置される場合には、第１フレーム係止部１９および第２フレーム係止部２１９が、セパレータ８２の第１係止用溝部９０および第２係止用溝部９１に配置される。これにより、検出素子４を挿通孔８４に挿入する際に、リードフレーム１０が挿通孔８４の内壁面から離れるのを防止でき、リードフレーム１０が不適切な形状に変形して、検出素子４の電極端子部との接続状態が不良となるのを防止できる。【００９２】  この結果、検出素子４、リードフレーム１０およびセパレータ８２の組み付け作業時において、リードフレーム１０の不適切な変形および破損が生じ難くなり、センサの製造作業における不良品の発生頻度を低下できると共に、センサの製造効率の向上を図ることができる。【００９３】  以上、本発明の実施例について説明したが、本発明は上記実施例に限定されるものではなく、種々の態様を採ることができる。
例えば、検出素子との間で金属端子部材（リードフレーム）を扶持するためのセパレータは、セパレータ８２のように一部材で形成される一体構造型のものに限られず、複数の部材で構成される分割型のものでも良い。一例としては、検出素子の表側板面に対向する第１絶縁部材と、検出素子の裏側板面に対向する第２絶縁部材と、検出素子を挟み込むように配置された第１絶縁部材および第２絶縁部材を保持する保持固定部材と、を備える構成の分割型のセパレータを挙げることができる。【００９４】  このような分割型のセパレータを用いるセンサにおいても、幅寸法や厚みが小さく形成されると共に、素子当接部（折り返し部）が１点支持状態および２点支持状態となるリードフレームを用いることで、良好な電気的接続状態を実現するための弾性力を発生させることができる。これにより、リードフレームが発生する弾性力を所定の大きさに設定するにあたり、従来に比べて、リードフレームの配置スペースを小さく抑えることができ、センサの小型化を図ることができる。【００９５】  また、本発明の適用対象となるセンサは、電極端子部の個数が５個の検出素子を備えるセンサに限られることはなく、４個以下または６個以上の電極端子部を有する検出素子を備えて構成されるセンサに適用することもできる。【００９６】  なお、上記実施形態では、板面の幅寸法が１．１［ｍｍ］および０．８［ｍｍ］となる２種類のリードフレーム（第１リードフレーム１１、第２リードフレーム２１１）について説明したが、リードフレームにおける板面の幅寸法は上記寸法に限られることはない。つまり、板面の幅寸法が０．５［ｍｍ］以上２．０［ｍｍ］以下に設定されたリードフレームであれば、上記のリードフレーム（第１リードフレーム１１、第２リードフレーム２１１）と同様の作用効果を得ることができる。【００９７】  さらに、リードフレーム１０と検出素子４の電極端子部との接圧を高めることを目的に、素子当接部１６のうちで電極端子部に接触することが予定される部位に電極端子部に向かって突出する凸状部１８を設けるようにしても良い。素子当接部１６に凸状部１８を含むリードフレーム１０（第１リードフレーム１１）の外観を表す斜視図を図８に示す。なお、図８に示すリードフレーム１０（第１リードフレーム１１）では、上述した第１フレーム係止部１９の図示を省略している。【００９８】  このように素子当接部１６のうちで電極端子部に接触することが予定される部位に凸状部１８を設け、この凸状部１８の頂部を電極端子部に接触させることで、上述した素子当接部１６をフレーム本体部１２に対して２点支持させる構成と相俟って、素子当接部１６の電極端子部に対する接圧を一層高めることができる。なお、図８では、上述した第１リードフレーム１１の素子当接部１６に凸状部１８を設けた例を示したが、上述した第２リードフレーム２１１の第２素子当接部２１６に同様の凸状部を形成しても良い。【００９９】  また、リードフレーム１０の素子当接部１６のうちフレーム当接部１５を、湾曲した形状に形成しても良い。具体的には、図８を援用して示すように、フレーム当接部１５をフレーム本体部１２から離れるように軸線方向後端側に向かって湾曲させる（換言すれば、円弧状に曲折させる）ことにより、フレーム本体部１５を湾曲した形状に形成することができる。【０１００】  このように、フレーム当接部１５を湾曲した形状に形成した上で、このフレーム当接部とフレーム本体部とを当接させることで、センサ（全領域空燃比センサ２）を振動が激しい車両等の環境下に取り付けて使用した場合にも、フレーム当接部１５とフレーム本体部１２との擦れに起因して金属粉が生ずる程度を低減することができる。これにより、センサの実使用時に、リードフレーム１０と検出素子の電極端子部との電気的な接続状態に悪影響が生じるのを効果的に抑制することができる。【０１０１】  なお、図８では、第１リードフレーム１１における素子当接部１６のフレーム当接部１５を湾曲した形状に形成した例を示したが、第２リードフレーム２１１における第２フレーム当接部２１５も同様に湾曲した形状に形成しても良い。また、フレーム当接部１５を湾曲した形状に形成するにあたって、図８に示したように軸線方向後端側に向かって湾曲させる形状には限定されず、図９に示すように、フレーム本体部１２から離れるように軸線方向先端側に向かって湾曲した形状に形成しても良い。【０１０２】  さらに、上記実施形態では、リードフレーム１０のフレーム本体部１２（第２フレーム本体部２１２）の先端から屈曲し方向転換して軸線方向後端側に向かって延びる折り返し部を素子当接部１６（第２素子当接部２１６）として構成した例を示したが、検出素子４の電極端子部と折り返し部との間にフレーム本体部１２（第２フレーム本体部２１２）が配置されるように、リードフレーム１０をセパレータ８２内に配置し、フレーム本体部１２を湾曲した曲面形状として検出素子４の電極端子部に接触する素子当接部として機能させるようにしても良い。
【図１】
2005029058.tif 000003
【図２】
2005029058.tif 000004
【図３】
2005029058.tif 000005
【図４】
2005029058.tif 000006
【図５】
2005029058.tif 000007
【図６】
2005029058.tif 000008
【図７】
2005029058.tif 000009
【図８】
2005029058.tif 000010
【図９】
2005029058.tif 000011
【国際調査報告】
2005029058.tif 000012
2005029058.tif 000013
2005029058.tif 000014
2005029058.tif 000015